(57)【要約】      （修正有）【課題】正孔移動度の高い共通層を備えることで隣接サブ画素に電流が漏洩することを防止した、有機発光表示パネルを提供する。【解決手段】第１電極１１０の縁部と重なり、非発光部に備えられたバンク１２０と、発光部の第１電極１１０及び非発光部のバンク１２０上に位置する第１共通層１３１と、バンク１２０上の第１共通層１３１上に接した補助パターン１３２とを含む、有機発光表示パネル。【選択図】図３
2018093196.tif 000002
【特許請求の範囲】
【請求項１】
それぞれ発光部及び非発光部を有するサブ画素を複数個備えた基板と、
少なくとも前記各サブ画素の発光部を覆う第１電極と、
前記第１電極の縁部と重なり、前記非発光部に備えられたバンクと、
前記発光部の第１電極及び前記非発光部のバンク上に位置する第１共通層と、
前記バンク上の第１共通層上に接した補助パターンと、
前記補助パターン及び前記第１共通層上に備えられた第２共通層と、
前記各サブ画素において前記各第２共通層上に位置した発光層とを含む、有機発光表示パネル。
【請求項２】
前記補助パターンは電子輸送物質からなる、請求項１に記載の有機発光表示パネル。
【請求項３】
前記補助パターンは、前記第１共通層のＨＯＭＯエネルギー準位よりも０．４ｅＶ〜０．８ｅＶ低いＨＯＭＯエネルギー準位を有する、請求項２に記載の有機発光表示パネル。
【請求項４】
前記第２共通層は正孔輸送物質を含み、前記第１共通層は、前記補助パターンのＬＵＭＯエネルギー準位及びＨＯＭＯエネルギー準位よりもそれぞれ高いＬＵＭＯエネルギー準位及びＨＯＭＯエネルギー準位を有する、請求項２に記載の有機発光表示パネル。
【請求項５】
前記第２共通層は、それぞれ互いに異なる正孔輸送性物質を有する複数層である、請求項１に記載の有機発光表示パネル。
【請求項６】
前記第１共通層は正孔注入物質をホストとし、ｐ型ドーパントを含む、請求項１に記載の有機発光表示パネル。
【請求項７】
前記補助パターンは、列状のサブ画素に沿ってライン状に備えられた、請求項１に記載の有機発光表示パネル。
【請求項８】
前記補助パターンの両端に電圧が印加された、請求項７に記載の有機発光表示パネル。
【請求項９】
前記補助パターンは、単一又は複数個のサブ画素に島状に備えられた、請求項１に記載の有機発光表示パネル。
【請求項１０】
前記基板に備えられたサブ画素に赤色サブ画素、緑色サブ画素及び青色サブ画素を含み、
前記赤色サブ画素に備えられた発光層は赤色発光層であり、
前記緑色サブ画素に備えられた発光層は緑色発光層であり、
前記青色サブ画素に備えられた発光層は青色発光層である、請求項１に記載の有機発光表示パネル。
【請求項１１】
前記補助パターンは、前記青色サブ画素の発光部と赤色サブ画素の発光部との境界にのみ備えられた、請求項１０に記載の有機発光表示パネル。
【請求項１２】
前記青色発光層は前記第２共通層と接した、請求項１０に記載の有機発光表示パネル。
【請求項１３】
前記赤色サブ画素において前記第２共通層と前記赤色発光層との間に第１補助正孔輸送層をさらに含む、請求項１０に記載の有機発光表示パネル。
【請求項１４】
前記緑色サブ画素において前記第２共通層と前記緑色発光層との間に第２補助正孔輸送層をさらに含む、請求項１３に記載の有機発光表示パネル。
【請求項１５】
前記第１補助正孔輸送層が第２補助正孔輸送層よりも厚い、請求項１４に記載の有機発光表示パネル。
【請求項１６】
前記赤色発光層、緑色発光層及び青色発光層を覆う、第３共通層及び第２電極をさらに含む、請求項１０に記載の有機発光表示パネル。
【請求項１７】
前記補助パターン及び第３共通層は電子輸送性物質からなる、請求項１６に記載の有機発光表示パネル。
【請求項１８】
前記第２電極が第３共通層と対面する面に電子注入層をさらに含む、請求項１６に記載の有機発光表示パネル。
【請求項１９】
前記基板に備えられたサブ画素に赤色サブ画素、緑色サブ画素、及び青色サブ画素を含み、
各サブ画素に備えられた発光層は白色発光層であり、
前記赤色サブ画素に赤色カラーフィルター層、緑色サブ画素に緑色カラーフィルター層、及び青色サブ画素に青色カラーフィルター層をさらに含む、請求項１に記載の有機発光表示パネル。
【発明の詳細な説明】
【技術分野】
【０００１】
本発明は、有機発光素子に関し、特に、正孔移動度が高い共通層による隣接サブ画素に漏洩する電流を、補助パターンの配置で防止する有機発光表示パネルに関する。
【背景技術】
【０００２】
最近、本格的な情報化時代に入るにつれ、電気的情報信号を視覚的に表現するディスプレイ（ｄｉｓｐｌａｙ）分野が急速に発展してきた。これに応じて、薄型化、軽量化、低消費電力化といった優れた性能を有する様々な平板表示装置（Ｆｌａｔ  Ｄｉｓｐｌａｙ  Ｄｅｖｉｃｅ）が開発され、既存のブラウン管（Ｃａｔｈｏｄｅ  Ｒａｙ  Ｔｕｂｅ：ＣＲＴ）を急速に代替している。
【０００３】
このような平板表示装置の具体例としては、液晶表示装置（Ｌｉｑｕｉｄ  Ｃｒｙｓｔａｌ  Ｄｉｓｐｌａｙ  ｄｅｖｉｃｅ：ＬＣＤ）、プラズマ表示装置（Ｐｌａｓｍａ  Ｄｉｓｐｌａｙ  Ｐａｎｅｌ  ｄｅｖｉｃｅ：ＰＤＰ）、電界放出表示装置（Ｆｉｅｌｄ  Ｅｍｉｓｓｉｏｎ  Ｄｉｓｐｌａｙ  ｄｅｖｉｃｅ：ＦＥＤ）、有機発光表示装置（Ｏｒｇａｎｉｃ  Ｌｉｇｈｔ  Ｅｍｉｔｔｉｎｇ  Ｄｅｖｉｃｅ：ＯＬＥＤ）などを挙げることができる。
【０００４】
その中でも、別途の光源を要求せず、装置のコンパクト化及び鮮明なカラーの表示のために、有機発光表示装置が競争力のあるアプリケーション（ａｐｐｌｉｃａｔｉｏｎ）として考慮されている。
【０００５】
このような有機発光表示装置は、各サブ画素別に独立して駆動する有機発光素子を備えており、有機発光素子は、正極、負極、及び正極と負極との間に複数個の有機層を備えてなる。
【０００６】
そして、前記複数個の有機層には、正極から順に、正孔注入層、正孔輸送層、有機発光層、電子輸送層を含む。このうち、実質的に有機発光層が、正孔と電子が結合してエキシトンを生成し、そのエネルギーがグラウンド状態に落ちながら発光する機能を果たし、他の層は、有機発光層への正孔又は電子の輸送を助ける機能を果たす。
【０００７】
また、有機発光表示装置は、カラーの表示のために、サブ画素を赤色、緑色及び青色サブ画素に分けて形成し、各サブ画素に当該サブ画素の色の有機発光層を形成する。一般に、有機発光層は、シャドーマスク（ｓｈａｄｏｗ  ｍａｓｋ）を用いた蒸着方法が用いられた。
【０００８】
ところが、シャドーマスクは、大面積の場合、その荷重のため垂れ下がり現象が発生し、これにより、複数回利用時に収率が低下するという問題を有するため、発光層以外の有機層は、シャドーマスクなしに、各サブ画素に途切れなしに共通に形成されている。
【０００９】
しかし、サブ画素に共通に備えられる共通層により、平面的に連続した共通層を介して側部に電流が流れ、これにより、側部漏洩電流が問題となっている。
【００１０】
図１は、従来の有機発光表示パネルの低階調の青色点灯時を示した写真である。
【００１１】
図１は、青色点灯を１５グレーにした時、すなわち、低階調の青色点灯時に従来の有機発光表示パネルの点灯状態を示したものである。
【００１２】
図１に示したように、従来の有機発光表示パネルにおいては、低階調の青色点灯時に、隣接している赤色サブ画素まで点灯される現象が生じる。これは、点灯された青色サブ画素の正極と負極との間の垂直電界だけでなく、共通層を介して側部に漏洩する電流により、隣接するサブ画素まで点灯される現象を示したものである。このような側部漏洩電流は、特に、図１のような低階調表現で主に発生するもので、青色サブ画素において水平に流れる側部漏洩電流により共通する有機層に電流が流れるとき、オフ状態の隣接赤色サブ画素がターンオンされることと類似の作用をするためである。
【００１３】
これは、相対的に赤色点灯に要求される駆動電圧が青色点灯に要求される駆動電圧よりも低いため、弱い漏洩電流によっても青色と類似の点灯効果を有するためである。
【００１４】
特に、このような側部漏洩電流による他の色の点灯現象により、低階調表現において混色が発生してしまい、所望の色表示が正常に行われないという問題がある。
【００１５】
また、このような側部漏洩電流は、共通層として用いる有機層の正孔移動度が大きいほど、隣接サブ画素に対する影響力がさらに大きいという問題がある。
【発明の概要】
【発明が解決しようとする課題】
【００１６】
本発明は、上述した問題点を解決するために案出したもので、特に、正孔移動度が高い共通層を備えることにより隣接サブ画素に漏洩する電流を、補助パターンの配置で防止する有機発光表示パネルに関する。
【課題を解決するための手段】
【００１７】
本発明の有機発光表示パネルは、伝導性の高い共通層上に、サブ画素別に区分するためのパターンを備えることによって、電気的漏洩を防止することができる。
【００１８】
そのための一実施例に係る有機発光表示パネルは、それぞれ発光部及び非発光部を有するサブ画素を複数個備えた基板と、少なくとも前記各サブ画素の発光部を覆う第１電極と、前記第１電極の縁部と重なり、前記非発光部に備えられたバンクと、前記発光部の第１電極及び前記非発光部のバンク上に位置する第１共通層と、前記バンク上の第１共通層上に接した補助パターンと、前記補助パターン及び前記第１共通層上に備えられた第２共通層と、前記各サブ画素において前記各第２共通層上に位置した発光層とを含むことができる。
【００１９】
また、前記補助パターンは電子輸送物質からなることが好ましい。
【００２０】
そして、前記補助パターンは、前記第１共通層のＨＯＭＯエネルギー準位よりも０．４ｅＶ〜０．８ｅＶ低いＨＯＭＯエネルギー準位を有することができる。
【００２１】
また、前記第２共通層は正孔輸送物質を含み、前記第２共通層は、前記補助パターンのＬＵＭＯエネルギー準位及びＨＯＭＯエネルギー準位よりもそれぞれ高いＬＵＭＯエネルギー準位及びＨＯＭＯエネルギー準位を有することができる。
【００２２】
前記第２共通層は、それぞれ互いに異なる正孔輸送性物質を有する複数層であってもよい。
【００２３】
前記第１共通層は、正孔注入物質をホストとし、ｐ型ドーパントを含むことができる。
【００２４】
そして、前記補助パターンは、列状のサブ画素に沿ってライン状に備えられてもよい。
【００２５】
前記補助パターンの両端に電圧が印加されてもよい。
【００２６】
また、前記補助パターンは、単一又は複数個のサブ画素に島状に備えられてもよい。
【００２７】
一方、前記基板に備えられたサブ画素に赤色サブ画素、緑色サブ画素、及び青色サブ画素を含み、前記赤色サブ画素に備えられた発光層は赤色発光層であり、前記緑色サブ画素に備えられた発光層は緑色発光層であり、前記青色サブ画素に備えられた発光層は青色発光層であってもよい。
【００２８】
また、前記補助パターンは、前記赤色サブ画素の発光部の周囲にのみ備えられてもよい。
【００２９】
前記青色発光層は前記第２共通層と接することができる。
【００３０】
前記赤色サブ画素において前記第２共通層と前記赤色発光層との間に第１補助正孔輸送層をさらに含むことができる。
【００３１】
そして、前記緑色サブ画素において前記第２共通層と前記緑色発光層との間に第２補助正孔輸送層をさらに含むことができる。この場合、前記第１補助正孔輸送層が第２補助正孔輸送層よりも厚くてもよい。
【００３２】
一方、前記赤色発光層、緑色発光層及び青色発光層を覆う、第３共通層及び第２電極をさらに含むことができる。ここで、前記第２電極が第３共通層と対面する面に電子注入層をさらに含むことができる。
【００３３】
そして、前記補助パターン及び第３共通層は電子輸送性物質からなることができる。
【００３４】
ここで、前記基板に備えられたサブ画素に赤色サブ画素、緑色サブ画素、及び青色サブ画素を含み、各サブ画素に備えられた発光層は白色発光層であり、前記赤色サブ画素に赤色カラーフィルター層、緑色サブ画素に緑色カラーフィルター層、及び青色サブ画素に青色カラーフィルター層をさらに含むことができる。
【発明の効果】
【００３５】
本発明の有機発光表示パネルは、次のような効果がある。
【００３６】
第一に、伝導性が高い共通層に直接接して補助パターンを備えることによって、補助パターンを境界に側部漏洩電流を防止することができる。この場合、点灯されたサブ画素に隣接するサブ画素の伝導性が高い共通層の上側への電流の伝達を遮断することによって、非点灯の隣接サブ画素への側部漏洩による影響を防止することができる。
【００３７】
第二に、側部漏洩電流の防止によって、低階調駆動で生じる点灯サブ画素と隣接サブ画素の意図せぬ発光を防止することによって、低階調において混色を防止することができる。したがって、映像の具現において、色純度を高めることができる。
【００３８】
第三に、低階調において色純度を向上させることによって、混色の防止のために駆動電圧の上昇を要求しないため、効率及び寿命を向上させることができる。
【図面の簡単な説明】
【００３９】
【図１】従来の有機発光表示パネルの低階調の青色点灯時を示した写真である。
【図２】本発明の有機発光表示パネルを示した平面図である。
【図３】図２のＩ〜Ｉ’線上の断面図である。
【図４Ａ】非発光部及び発光部の概略的な断面図である。
【図４Ｂ】非発光部及び発光部の概略的な断面図である。
【図５】補助パターンの周辺層のバンドギャップの特性を示した図である。
【図６】本発明の第１実施例に係る有機発光表示パネルを示した断面図である。
【図７】本発明の第２実施例に係る有機発光表示パネルを示した断面図である。
【図８】補助パターンの形成可能範囲を示した断面図である。
【図９Ａ】本発明の補助パターンの他の適用例を示した平面図である。
【図９Ｂ】本発明の補助パターンの他の適用例を示した平面図である。
【図１０】本発明及び比較例の寿命特性を示したグラフである。
【図１１】本発明の有機発光表示パネルの青色低階調点灯時に波長別の強度特性を示したグラフである。
【図１２Ａ】比較例及び本発明の実施例の有機発光表示パネルの青色の階調変化を色座標で示した図である。
【図１２Ｂ】比較例及び本発明の実施例の有機発光表示パネルの青色の階調変化を色座標で示した図である。
【発明を実施するための形態】
【００４０】
発明の利点及び特徴、そして、それらを達成する方法は、添付の図面と共に詳細に後述されている様々な実施例を参照すれば、明確になるだろう。しかし、本発明は、以下に開示される様々な実施例に限定されるものではなく、互いに異なる様々な形態で具現され、単に、本発明の様々な実施例は、本発明の開示が完全になるようにし、本発明の属する技術分野における通常の知識を有する者に発明の範疇を完全に知らせるために提供されるものである。したがって、本発明は、請求項の範疇によって定義される。
【００４１】
本発明の様々な実施例を説明するための図面に開示された形状、大きさ、比率、角度、個数などは例示的なものであるため、本発明が図示された事項に限定されるものではない。本明細書全体にわたって同一の参照符号は同一の構成要素を指す。また、本発明を説明するにおいて、関連する公知技術に対する具体的な説明が本発明の要旨を不明瞭にする可能性があると判断される場合には、その詳細な説明は省略する。本明細書上で言及した「含む」、「有する」、「からなる」などが使用される場合、「〜のみ」が使用されない限り、他の部分が追加されてもよい。構成要素を単数で表現した場合に、特に明示的な記載事項がない限り、複数を含む場合を含む。
【００４２】
本発明の様々な実施例に含まれた構成要素を解釈するにおいて、別途の明示的な記載がなくても、誤差範囲を含むものと解釈する。
【００４３】
本発明の様々な実施例を説明するにおいて、位置関係に対して説明する場合に、例えば、「〜上に」、「〜上部に」、「〜下部に」、「〜側に」などで二つの部分の位置関係が説明される場合、「すぐ」又は「直接」が使用されない限り、二つの部分の間に１つ以上の他の部分が位置することもできる。
【００４４】
本発明の様々な実施例を説明するにおいて、時間関係に対する説明の場合に、例えば、「〜後に」、「〜に続いて」、「〜次に」、「〜前に」などで時間的前後関係が説明される場合、「すぐ」又は「直接」が使用されない限り、連続的ではない場合も含むことができる。
【００４５】
本発明の様々な実施例を説明するにおいて、「第１〜」、「第２〜」などが様々な構成要素を述べるために使用され得るが、これらの用語は、互いに同一類似の構成要素間を区別するために使用されるだけである。したがって、本明細書において「第１〜」で修飾される構成要素は、別途の言及がない限り、本発明の技術的思想内において「第２〜」で修飾される構成要素と同一であり得る。
【００４６】
本発明の様々な実施例のそれぞれの特徴が、部分的又は全体的に互いに結合又は組み合わせ可能であり、技術的に様々な連動及び駆動が可能であり、各実施例が互いに対して独立して実施されてもよく、関連関係で共に実施されてもよい。
【００４７】
本明細書において、ある層の「ＬＵＭＯ（Ｌｏｗｅｓｔ  Ｕｎｏｃｃｕｐｉｅｄ  Ｍｏｌｅｃｕｌａｒ  Ｏｒｂｉｔａｌｓ  Ｌｅｖｅｌ）エネルギー準位」及び「ＨＯＭＯ（Ｈｉｇｈｅｓｔ  Ｏｃｃｕｐｉｅｄ  Ｍｏｌｅｃｕｌａｒ  Ｏｒｂｉｔａｌｓ  Ｌｅｖｅｌ）エネルギー準位」ということは、当該層にドープされたドーパント（ｄｏｐａｎｔ）物質のＬＵＭＯエネルギー準位及びＨＯＭＯエネルギー準位と呼ばない限り、当該層のほとんどの重量比を占める物質、例えば、ホスト（ｈｏｓｔ）物質のＬＵＭＯエネルギー準位及びＨＯＭＯエネルギー準位を意味する。
【００４８】
本明細書において、「ＨＯＭＯエネルギー準位」とは、電極電位値を知っている基準電極に対する、相対的な電位値からエネルギー準位を決定する、ＣＶ（ｃｙｃｌｉｃ  ｖｏｌｔａｍｍｅｔｒｙ）法で測定したエネルギー準位であり得る。例えば、酸化電位値及び還元電位値を知っているフェロセン（Ｆｅｒｒｏｃｅｎｅ）を基準電極として、ある物質のＨＯＭＯエネルギー準位を測定することができる。
【００４９】
本明細書において、「ドープされた」とは、ある層のほとんどの重量比を占める物質に、ほとんどの重量比を占める物質と異なる物性（互いに異なる物性とは、例えば、Ｎ−タイプとＰ−タイプ、有機物質と無機物質）を有する物質が、重量比１０％未満で添加されていることを意味する。言い換えれば、「ドープされた」層とは、ある層のホスト物質とドーパント物質を、重量比の比重を考慮して分別し得る層を意味する。そして、「非ドープされた」とは、「ドープされた」に該当する場合以外の全ての場合を称する。例えば、ある層が単一の物質で構成されるか、または互いに性質が同一類似の物質が混合されて構成される場合、その層は、「非ドープされた」層に含まれる。例えば、ある層を構成する物質のうち少なくとも１つがＰ−タイプであり、その層を構成する物質の全てがＮ−タイプではない場合、その層は、「非ドープされた」層に含まれる。例えば、ある層を構成する物質のうち少なくとも１つが有機物質であり、その層を構成する物質の全てが無機物質ではない場合、その層は、「非ドープされた」層に含まれる。例えば、ある層を構成する物質が全て有機物質であり、その層を構成する物質のうち少なくともいずれか１つがＮ−タイプであり、少なくともいずれか他の１つがＰ−タイプである場合に、Ｎ−タイプの物質が重量比１０％未満であるか、またはＰ−タイプの物質が重量比１０％未満である場合に、「ドープされた」層に含まれる。
【００５０】
本明細書において、ＥＬ（電界発光、ｅｌｅｃｔｒｏｌｕｍｉｎｅｓｃｅｎｃｅ）スペクトルとは、（１）有機発光層に含まれるドーパント物質やホスト物質のような発光物質の固有な特性を反映するＰＬ（光発光、ｐｈｏｔｏｌｕｍｉｎｅｓｃｅｎｃｅ）スペクトルと、（２）電子輸送層などのような有機層の厚さを含む有機発光素子の構造及び光学的特性によって決定される、アウトカップリング（ｏｕｔ  ｃｏｕｐｌｉｎｇ）エミッタンス（ｅｍｉｔｔａｎｃｅ）スペクトルカーブとの積で算出される。
【００５１】
本明細書において、スタックとは、正孔輸送層と電子輸送層を含む有機層、及び正孔輸送層と電子輸送層との間に配置される有機発光層を含む単位構造を意味する。有機層には、正孔注入層、電子阻止層、正孔阻止層及び電子注入層などがさらに含まれてもよく、それ以外にも、有機発光素子の構造や設計によって他の有機層がさらに含まれてもよい。
【００５２】
図２は、本発明の有機発光表示パネルを示した平面図であり、図３は、図２のＩ〜Ｉ’線上の断面図である。
【００５３】
図２及び図３に示したように、有機発光表示パネルは、それぞれ発光部及び非発光部を有するサブ画素ＳＰを複数個備えた基板１００と、少なくとも前記各サブ画素ＳＰの発光部を覆う第１電極１１０と、前記第１電極１１０の縁部と重なり、前記非発光部に備えられたバンク１２０と、前記発光部の第１電極１１０及び前記非発光部のバンク上に位置する第１共通層１３１と、前記バンク１２０上の第１共通層１３１上に接した補助パターン１３２と、前記補助パターン１３２を含む前記第１共通層１３１上に備えられた第２共通層１３３と、前記各サブ画素ＳＰに前記各第２共通層１３３上に位置した発光層１４１、１４２とを含む。
【００５４】
図２に示された各サブ画素ＳＰは、発光部の周辺に非発光部が位置することを示す。非発光部は、バンクが配置される領域に対応する。各サブ画素ＳＰの中央に発光部が位置してもよいが、これに限定されず、サブ画素の境界部の一部に偏って発光部が位置してもよい。しかし、各サブ画素ＳＰにおいて、発光部は、全体領域ではなく一部の領域にのみ形成され、その周辺は非発光部として定義される。このように、発光部がサブ画素ＳＰの一部分に形成された理由は、隣接画素間の混色の防止あるいは工程上の限界のためである。サブ画素ＳＰの全体領域が発光部として利用されず、一部分のみが発光部として定義され、発光部は、バンク１２０がオープンされた領域に定義される。最近は、前記発光部を拡張しようとする種々の試みがある。しかし、発光部の周辺に非発光部は、サブ画素間の区分のために、面積の差はあるが、必ず備えられる領域であり、本発明の補助パターン１３２は、非発光部内の隣接サブ画素の境界部に備えられる。一方、前記非発光部は、バンク１２０が備えられた領域に定義され、補助パターン１３２は前記バンク１２０の上側に位置する。
【００５５】
本発明の有機発光表示パネルでの共通層とは、サブ画素において領域の区分なしに、平面的に連続して形成されたもので、蒸着マスクなしに形成される。
【００５６】
そして、このうち第１共通層１３１は、正孔輸送性を有する有機物質に、相対的に他の層の有機層に比べて正孔移動度が大きいｐ型ドーパントが含まれたもので、他の層の有機層は、補助パターン１３２、第２の共通層（正孔輸送層層で機能）、第１及び第２の補助正孔輸送層１３４、１３５（以下で述べる）、及び第３の共通層１５０（以下で述べる）である。すなわち、第１の共通の層１３１（正孔注入層として機能）は、有機発光表示パネルの有機層のうちホール移動度が最も高い。ここで、ｐ型ドーパントは、電極成分の第１電極１１０から有機物層の界面で正孔が受けるバリアが大きいため、正孔が注入される場合において、そのバリアを低減し、正孔の注入を円滑にするために含まれるものである。前記第１共通層１３１の主な物質である正孔輸送性有機物質は、第１電極１１０が有する仕事関数とその絶対値がほぼ同じ準位のＨＯＭＯエネルギー準位を有することができる。ここで、ｐ型ドーパントは、ｐ型有機ドーパントまたは無機ドーパントであってもよく、ｐ型有機ドーパントである場合、下記化学式１〜４の化合物、ヘキサデカフルオロフタロシアニン（Ｈｅｘａｄｅｃａｆｌｕｏｒｏｐｈｔｈａｌｏｃｙａｎｉｎｅ、Ｆ１６ＣｕＰｃ）、１１，１１，１２，１２−テトラシアノナフト−２，６−キノジメタン（１１，１１，１２，１２−ｔｅｔｒａｃｙａｎｏｎａｐｈｔｈｏ−２，６−ｑｕｉｎｏｄｉｍｅｔｈａｎｅ、ＴＮＡＰ）、３，６−ジフルオロ−２，５，７，７，８，８−ヘキサシアノ−キノジメタン（３，６−ｄｉｆｌｕｏｒｏ−２，５，７，７，８，８−ｈｅｘａｃｙａｎｏ−ｑｕｉｎｏｄｉｍｅｔｈａｎｅ、Ｆ２−ＨＣＮＱ）、及びテトラシアノキノジメタン（Ｔｅｔｒａｃｙａｎｏｑｕｉｎｏｄｉｍｅｔｈａｎｅ、ＴＣＮＱ）からなる群から選択された１つ以上であってもよい。
【００５７】
【化１】
2018093196.tif 000003
【００５８】
化学式１において、Ｒは、シアノ基、スルホン基、スルホキシド基、スルホンアミド基、スルホン酸基、ニトロ基、またはトリフルオロメチル基である。
【００５９】
【化２】
2018093196.tif 000004
【００６０】
【化３】
2018093196.tif 000005
【００６１】
【化４】
2018093196.tif 000006
【００６２】
また、他の例として、前記Ｐ型ドーパントが無機物ドーパントであるとき、これは、金属酸化物及び金属ハライドからなる群から選択された１つ以上であってもよい。具体的に、前記Ｐ型無機物ドーパントは、ＭｏＯ３、Ｖ２Ｏ５、ＷＯ３、ＳｎＯ２、ＺｎＯ、ＭｎＯ２、ＣｏＯ２、ＲｅＯ３、ＴｉＯ２、ＦｅＣｌ３、ＳｂＣｌ５及びＭｇＦ２からなる群から選択された１つ以上であってもよい。
【００６３】
補助パターン１３２は、その形成部位で水平に伝達される電流の流れを切る役割を果たす。高い正孔伝達力がある前記第１共通層１３１上に、補助パターン１３２が反対の電子輸送性を有する物質からなることによって、第１共通層１３１上で正孔の伝達を遮断して、補助パターン１３２の配置で側部漏洩電流を遮断することである。これによって、特定のサブ画素にのみ駆動電圧が印加されたとき、隣接する他のサブ画素に漏洩する電流を遮断する役割を果たす。そのために、互いに異なるサブ画素間の境界部に補助パターン１３２を備えることができる。図３に示したように、前記補助パターン１３２が、正孔輸送性の高い第１共通層１３１に対して上部の領域において互いに異なる画素間の境界部に位置することによって、下側の第１共通層１３１に流れる水平電流（１の経路）が一部あっても、補助パターン１３２が、隣接サブ画素間の自身の上側の共通層から発生する漏洩電流を遮断（２の経路参照）する。実際の駆動時の問題は、実質的に水平に伝達される電流のみでは発生せず、共通層で水平に伝達された電流が上側の非駆動サブ画素の発光層まで垂直に伝達されることによって、意図せぬ点灯が発生して生じるものである。したがって、本発明の有機発光表示パネルでは、隣接サブ画素の境界部に補助パターン１３２を備えることによって、非駆動画素での補助パターン１３２での垂直電流パスを遮断しようとする。
【００６４】
一方、第１電極１１０と最も隣接して正孔移動度の高い第１共通層１３１が備えられ、前記補助パターン１３２を覆いながら第２共通層１３３が備えられる。
【００６５】
前記第２共通層１３３は正孔輸送特性を有し、正孔注入特性を有する第１共通層１３１から上部に位置する発光層１４１，１４２に正孔を伝達する機能を果たす。各発光層は、備えられた発光物質の共振条件に応じて、第１電極１１０と第２電極１６０との間に当該色の発光がなされ得る有効な高さが定まり、このような高さを調整するために第１補助正孔輸送層１３４を備える。
【００６６】
相対的に赤色サブ画素では、長波長の特性上、他のサブ画素と比較して、第１電極１１０から最も遠い側に赤色発光層１４１が位置しなければならず、可視光域で最も短波長である青色サブ画素では、短波長の特性上、他のサブ画素と比較して、第１電極１１０から最も近い側に青色発光層１４２が位置しなければならないため、相対的に赤色発光層１４１を青色発光層１４２よりも高く位置させるために、赤色発光層１４１と第２共通層１３３との間に第１補助正孔輸送層１３４を備える。すなわち、第１補助正孔輸送層１３４は正孔輸送特性を有し、相対的に赤色サブ画素（Ｒ−ｓｕｂ）に限って形成される。場合によっては、補助正孔輸送層は、他のサブ画素、例えば、緑色サブ画素にも備えることができ、この場合、緑色サブ画素に備えられる補助正孔輸送層は、赤色発光層１４１に要求される発光領域の位置と異なってもよく、第１補助正孔発光層１３４とは異なる厚さで緑色サブ画素に備えられてもよい。そして、各サブ画素の発光層１４１、１４２は、少なくとも各サブ画素の発光部を含む領域に備えられ、図示のように、周辺の非発光部まで拡張して形成することができる。この場合、青色サブ画素には補助正孔輸送層を備えないので、青色発光層１４２は前記第２共通層１３３に直接接することができる。
【００６７】
そして、前記発光層１４１、１４２を覆うように、再びサブ画素に共通して電子輸送性の第３共通層１５０及び第２電極１６０が形成される。
【００６８】
以下では、補助パターンが備えられた領域及びサブ画素の発光部の垂直断面を参照して、垂直断面での電流パスを説明する。
【００６９】
図４Ａ及び図４Ｂは、非発光部及び発光部の概略的な断面図である。
【００７０】
図４Ａに示したように、非発光部において前記補助パターン１３２が備えられた領域の垂直断面には、基板１００から順に、バンク１２０、第１共通層１３１、補助パターン１３２、第２共通層１３３、第３共通層１５０及び第２負極１６０が備えられる。図４Ｂに示したように、赤色サブ画素の発光部は、基板１００から順に、第１電極１１０、第１共通層１３１、第２共通層１３３、第１補助正孔輸送層１３４、赤色発光層１４１、第３共通層１５０及び第２電極１６０が備えられる。
【００７１】
ここで、図４Ａの非発光部にある前記補助パターン１３２は、正孔輸送性の第１及び第２共通層１３１，１３３とは異なり、電子輸送性物質からなることで、第１共通層１３１と第２共通層１３３との間にバリア（ｂａｒｒｉｅｒ）を大きくすることによって、上側に伝達される垂直電流を遮断することができる。これによって、図４Ｂでの駆動電圧を印加する発光部である赤色サブ画素には、第１電極１１０及び第２電極１６０に電圧が印加されない限り、第１共通層１３１を除いた上側で水平に伝達される電流がないため、赤色発光層１４１は発光しない。
【００７２】
ここで言う電子輸送性物質とは、正孔の移動度よりも電子の移動度が少なくとも２オーダー（１００倍）以上大きい物質を意味する。したがって、補助パターン１３２が、正孔輸送性を有する第１共通層１３１と第２共通層１３３との層間にあるとき、下側で正孔が第１共通層１３１から補助パターン１３２に伝達されたとき、第２共通層１３３への正孔の供給を遮断することができる。すなわち、青色サブ画素の境界である非発光部の補助パターン１３２上に伝達される垂直電流が遮断され、補助パターン１３２の上側の第２共通層１３３を含め、その上の層に駆動電圧が印加されるサブ画素以外の水平に伝達される漏洩電流が遮断される。
【００７３】
反面、他のサブ画素、例えば、青色サブ画素において第１及び第２電極に電圧が印加されると、第１及び第２電極１１０，１６０内に第１共通層１３１及び第２共通層１３３を介して入った正孔と、第３共通層１５０を介して入った電子とが青色発光層１４２で再結合してエキシトンを成し、これは、基底状態のエネルギーに落ちながら発光がなされる。
【００７４】
図５は、補助パターンの周辺層のバンドギャップの特性を示した図である。
【００７５】
図５に示したように、補助パターン１３２は、電子輸送性物質からなり、ＨＯＭＯエネルギー準位が隣接する第１共通層１３１及び第２共通層１３２のＨＯＭＯエネルギー準位よりも０．４ｅＶ〜０．８ｅＶ低い。補助パターン１３２と隣接層１３１または１３３との間のＨＯＭＯエネルギー準位差は０．４ｅＶから０．８ｅＶである。ここで、ＨＯＭＯエネルギー準位が低いということは、負の値自体に基づいて比較したもので、絶対値を比較すると、補助パターン１３２のＨＯＭＯエネルギー準位の絶対値が隣接する第１及び第３共通層１３１，１３３のＨＯＭＯエネルギー準位よりも大きい。
【００７６】
前記補助パターン１３２は、正孔移動度が最も高い第１共通層１３１に接して備えることがよく、場合によっては、補助パターン１３２の上側に、第２共通層１３３以外に単一又は複数個の正孔輸送層がさらに備えられてもよい。さらに備えられる正孔輸送層は、当該サブ画素にのみ選択的に備えられる補助正孔輸送層であってもよく、共通層であってもよい。いずれの場合でも、補助パターン１３２は、第１共通層１３１から垂直方向に上側の正孔輸送性層に正孔が伝達されることを遮断する。
【００７７】
また、前記第２共通層１３３は正孔輸送物質を含み、前記第２共通層１３３は、前記補助パターン１３２のＬＵＭＯエネルギー準位及びＨＯＭＯエネルギー準位よりも高いＬＵＭＯエネルギー準位及びＨＯＭＯエネルギー準位をそれぞれ有するもので、前記第２共通層１３３が高いＬＵＭＯエネルギー準位を有する理由は、右側に隣接する発光層から電子又はエキシトンが第２共通層１３３に侵入しないようにするために相対的に高いＬＵＭＯエネルギー準位を有するものである。そして、前記第２共通層１３３が高いＨＯＭＯエネルギー準位を有する理由は、相対的に正孔輸送性物質のＨＯＭＯ準位が電子輸送性物質のＨＯＭＯ準位よりも高いためである。
【００７８】
第１共通層１３１は、正孔の注入を助けるか、または複数層を備えることによって、下側は正孔を注入し、上側は正孔を輸送する機能を有する。第２共通層１３３は、正孔輸送機能を行うと共に、電子又はエキシトンの阻止層として機能することができる。
【００７９】
前記第２共通層１３３は、それぞれ互いに異なる正孔輸送性物質を有する複数層であってもよい。
【００８０】
以下では、具体的に、備えられた様々な色のサブ画素の構造を含む本発明の有機発光表示パネルを説明する。
【００８１】
図６は、本発明の第１実施例に係る有機発光表示パネルを示した断面図である。
【００８２】
図６のように、本発明の第１実施例に係る有機発光表示パネルは、赤色、緑色及び青色サブ画素が左側から形成された形態を示し、赤色サブ画素と緑色サブ画素においてそれぞれ共振条件に合う発光位置を合わせるために第１補助正孔輸送層１３４及び第２補助正孔輸送層１３５を備えた点以外に、発光部の構造は、各サブ画素に、基板１００上に第１電極１１０から、第１共通層１３１、第２共通層１３３、第１補助正孔輸送層１３４又は第２補助正孔輸送層１３５（青色サブ画素では省略される）、発光層１４１、１４３、１４２、第３共通層１５０、及び第２電極１６０の順に形成される。
【００８３】
非発光部は、基板１００上にバンク１２０、第１共通層１３１、補助パターン１３２、第２共通層１３３、第３共通層１５０及び第２電極１６０の順に形成される。
【００８４】
ここで、前記第２電極１６０が第３共通層１５０と対面する面に電子注入層（図示せず）をさらに含むことができる。電子注入層は、例えば、ＬｉＦ又はＬｉ２Ｏ、あるいはＬｉ、Ｃａ、Ｍｇ、Ｓｍなどのアルカリ金属又はアルカリ土金属などの無機物からなることができ、第２電極１６０の形成と同一の工程で形成することができる。
【００８５】
前記補助パターン１３２は、発光部内の垂直電流のパスを妨げないためには、バンク１２０の上部にのみ位置することが好ましい。前記補助パターン１３２は、その厚さが５０Å以下であり、厚すぎると、発光部の正常な垂直電流パスに影響を与えるため、一定の厚さ以下に形成する。すなわち、補助パターン１３２は、その幅及び厚さを制御して、特定の部位で側部漏洩電流パスを遮断し、正常な第１電極と第２電極との間の駆動電圧の印加による垂直電流には影響を及ぼさない。
【００８６】
一方、前記第１共通層１３１は約４０Å〜１６０Åの厚さで形成し、これは、第１電極１１０から正孔の注入を助ける層である。場合によっては、第１共通層１３１を複数層にして、第１電極１１０に接する層は、正孔の注入を助ける層として、その上側に位置する層は、正孔の輸送のための層として備えることができる。この場合、前記正孔の注入を助ける層は、１００Å以内の薄い厚さで、正孔の輸送のための層は、５００Å〜１５００Åのレベルの十分な厚さで形成することができる。
【００８７】
前記補助パターン１３２の上側の第２共通層１３３、第１及び第２補助正孔輸送層１３４，１３５、発光層１４１、１４３、１４２及び第３共通層１５０は、相対的に前記補助パターン１３２よりも厚い厚さで、約１００Å〜１５００Åの厚さで形成される。
【００８８】
場合によっては、前記第２共通層１３３は、互いに異なる正孔輸送性物質で複数層で形成されてもよく、このような複数層のうち相対的に発光層１４２に接している層は、５０Åの厚さに薄く形成することができる。
【００８９】
一方、前記補助パターン１３２は、第３共通層１５０と同一の電子輸送性物質で形成されてもよい。
【００９０】
図７は、本発明の第２実施例に係る有機発光表示パネルを示した断面図である。
【００９１】
図７に示したように、本発明の第２実施例に係る有機発光表示パネルは、各サブ画素に、発光層として共通の白色発光層２４０を備えることを示したもので、第１電極１１０及び補助パターン２３２を除いた残りの層は、各サブ画素に共通して形成される。この場合、第２電極２６０の上部には、各サブ画素に備えられた有機発光ダイオードを保護し、表面を平坦にする平坦層２７０を備え、その上側に、各サブ画素別に当該色の光を透過させるカラーフィルター層２８１、２８２、２８３を備える。
【００９２】
発光部の構造は、各サブ画素に、基板１００上に第１電極１１０から、第１共通層２３１、第２共通層２３３、発光層２４０、第３共通層２５０及び第２電極２６０の順に形成される。
【００９３】
前記発光層２４０は、白色を発光する単一の白色発光層であってもよく、または複数個の発光層、発光層間に電荷生成層、及び発光層と電荷生成層との間の共通層を含む複数のスタック構造を有してもよい。第２実施例に係る有機発光表示パネルの発光層２４０は、蒸着マスクなしに、領域区分なしに全体のサブ画素に形成され、各サブ画素の発光色の区分をカラーフィルター層２８１、２８２、２８３によって行うことができる。前記カラーフィルター層２８１、２８２、２８３は、場合によっては、平坦層２７０ではなく、別途の対向基板（図示せず）上に形成することもできる。
【００９４】
非発光部は、基板１００上にバンク１２０、第１共通層２３１、補助パターン２３２、第２共通層２３３、第３共通層２５０及び第２電極２６０の順に形成される。
【００９５】
このような第２実施例のように、発光層２４０を共通層として備える構造でも、サブ画素は個別に駆動するため、補助パターン２３２を備えることによって、駆動サブ画素と他の隣接するサブ画素との境界を設け、駆動サブ画素以外に隣接サブ画素への側部漏洩電流を防止することができる。
【００９６】
以下、補助パターン（１３２又は２３２）の形成範囲を説明する。
【００９７】
図８は、補助パターンの形成可能範囲を示した断面図である。
【００９８】
図８に示したように、補助パターン（１３２又は２３２）は、バンク１２０が形成された非発光部全体に形成されることを最大幅にし、その内側に形成されてもよい。例えば、補助パターン（１３２又は２３２）を最大幅に形成時に、前記バンク１２０の平坦部だけでなく、傾斜部の全体又は一部に形成されてもよい。また、前記補助パターン（１３２又は２３２）は、機能のために要求される最小幅以上に形成され、バンク１２０の平坦部の幅の１／１０以上に形成されてもよい。
【００９９】
補助パターンは（１３２又は２３２）は、互いに異なる色のサブ画素のうち最も駆動電圧が大きいサブ画素ＳＰと最も駆動電圧が大きいサブ画素との境界部にのみ形成されてもよく、またはサブ画素ＳＰの境界部毎に形成されてもよい。例えば、漏洩電流の問題が大きい赤色サブ画素（Ｒ−ｓｕｂ）と青色サブ画素（Ｂ−ｓｕｂ）との境界にのみ備えられてもよく、または隣接サブ画素間の漏洩を防止するために、サブ画素全体で隣接サブ画素間の全ての境界部に備えられてもよい。
【０１００】
図９Ａ及び図９Ｂは、本発明の補助パターンの他の適用例を示した平面図である。
【０１０１】
図９Ａに示したように、一例によって、補助パターン１３０は、各サブ画素ＳＰにおいて非発光部の一辺に沿って形成され、結果的に、列方向のサブ画素ＳＰに沿って長いライン状に形成され、その両端に電圧を印加して漏洩電流を防止することができる。この場合、補助パターン１３０は、電子輸送性物質からなる一種の有機物パターンであるため、電圧を印加するとしても電線のような機能を果たすものではなく、一種の接地パターンとして機能することで、形成部位で垂直に伝達される電流パスを遮断する機能を有する。
【０１０２】
一方、上述した補助パターン１３０のように両端に電圧が印加されてもよいが、これに限定されず、図９Ｂに示したように、補助パターン１３０ａは、各サブ画素ＳＰに互いに分けてパターニングされ、島状に備えられてもよい。また、補助パターン１３０ａは、隣り合う２つのサブ画素ＳＰの境界部毎に備えられるか、またはそれ以上のサブ画素ＳＰを単位としてサブ画素ＳＰの境界部に備えられ、単位毎に互いに離隔して備えられてもよい。この場合、各補助パターン１３０ａは、電圧が印加されていないフローティング状態で備えられてもよい。
【０１０３】
図９Ａや図９Ｂの場合の両方とも、正孔輸送性が高い第１共通層１３１に直接接して、異なる極性の輸送性を有する電子輸送性の補助パターン（１３０又は１３０ａ）を備えることによって、側部漏洩電流を遮断することを示す。
【０１０４】
以下では、比較例及び実施例において、駆動電圧及び効率と寿命特性を説明し、漏洩電流の程度を通じて、本発明の有機発光表示パネルの効果を説明する。
【０１０５】
比較例及び実施例は、共通に、青色サブ画素を基準として実験した。このとき、青色サブ画素の発光部は、共通に、図３に示したように、基板１００上にＩＴＯ（Ｉｎｄｉｕｍ  Ｔｉｎ  Ｏｘｉｄｅ）からなる第１電極１１０、アリーレン基、アリール基及び複素環基のいずれか１つの正孔輸送性有機物とｐ型ドーパントを含む第１共通層１３１、アリーレン基、アリール基及び複素環基のいずれか１つの正孔輸送性有機物からなり、前記第１共通層１３１と比較してＬＵＭＯエネルギー準位が大きい第２共通層１３３、青色発光層１４２、電子輸送性材料からなる第３共通層１５０、及びＭｇ：Ａｇ又はＣａ：Ａｇなどの金属合金からなる第２電極１６０を含むようにしたものであり、それぞれの厚さは、第１共通層１３１は１００Å／１１００Åの二重層、第２共通層１３３は５０Å、青色発光層１４２は２００Å、第３共通層１５０は３００Å、第２電極１６０は２００Åとした。
【０１０６】
そして、比較例及び実施例の非発光部は、実施例において、バンク１２０上に、第１共通層１３１と第２共通層１３３との層間に補助パターン１３２を５０Åの厚さにしてさらに備えたことを除いては、同一である。
【０１０７】
図１０は、本発明及び比較例の寿命特性を示したグラフである。
【０１０８】
図１０において、点線は比較例であり、実線は本発明の実施例の寿命を示したものである。図１０に示したように、本発明の実施例と比較例の寿命を、初期輝度からその９５％のレベルに低下するまでの時間を比較したところ、本発明の実施例において、比較例に比べて約３０％以上の寿命が向上することがわかる。実質的に有機発光表示パネルを具現する場合、それよりも低い輝度に低下するまで使用するため、実際の具現時には、寿命向上の効果をさらに有することができる。
【０１０９】
また、特定のサブ画素の点灯時に隣接画素への漏洩がないため、点灯されるサブ画素の効率を上昇させることができる。比較例に比べて、本発明の実施例において約１０２％の上昇があった。
【０１１０】
図１１は、本発明の有機発光表示パネルの青色低階調点灯時に波長別の強度特性を示したグラフである。
【０１１１】
図１１に示したように、本発明の有機発光表示パネルでは、青色低階調点灯時に隣接する赤色サブ画素の発光がなく、青色波長以外の波長でインパルスが発生せず、駆動が行われた青色波長でのインパルスが観察されるところ、特定の色のサブ画素の駆動時に、混色なしに、純色度の高い表現が可能であることがわかる。これは、特定のサブ画素（実験例では青色サブ画素）の点灯時に、他の色のサブ画素が発光しないことを意味し、これは、側部漏洩電流の発生がないことを示す。
【０１１２】
図１２Ａ及び図１２Ｂは、比較例及び本発明の実施例の有機発光表示パネルの青色の階調変化を色座標で示した図である。
【０１１３】
図１２Ａは、比較例の有機発光表示パネルにおいて、青色をグレースケールＧ１５、Ｇ３１、Ｇ６３にしたとき、色座標を示したものである。グレースケールの数字が大きくなるほど高階調を意味し、同一の青色系列で低い階調のＧ１５で、より青色領域帯に近い位置に色座標が現れたものと観察される。これによって、中階調Ｇ３１の部位の色座標と高階調Ｇ６３の色座標が類似の位置に集まっている一方、低い階調のＧ１５は、これらと離隔して赤色側にシフトした位置で色座標を有することが観察される。
【０１１４】
反面、図１２Ｂに示したように、青色の低、中、高階調であるＧ１５、Ｇ３１、Ｇ６３の色座標が互いに隣接する位置で集中しているため、低階調の表現時に特定の色の混色が発生しないことを確認することができる。
【０１１５】
このように、本発明の有機発光表示パネルは、構造的に共通層を使用する構造において有する漏洩電流を、特定の位置に積層構造で隣接層とは異なる構成の移動度が大きい材料で形成することによって、補助パターンの位置で隣接サブ画素間の漏洩電流を遮断することができる。これによって、特定のサブ画素の駆動時に、隣接サブ画素への漏洩なしに鮮明な階調表現が可能であり、効率が上昇し、寿命が上昇するという利点がある。
【０１１６】
一方、上述した説明では省略されているが、前記各サブ画素の第１電極及び第２電極と、それらの間の有機物層からなる有機発光ダイオードや、第１電極又は第２電極が、各画素別に駆動薄膜トランジスタと接続される。このような駆動薄膜トランジスタは、有機発光ダイオードの下側に基板上に直接形成されてもよく、同一の工程で、各サブ画素別の駆動薄膜トランジスタと接続されるスイッチング薄膜トランジスタ、センシング薄膜トランジスタ及びストレージキャパシタがさらに形成されてもよい。
【０１１７】
また、前記第２電極を形成した後、前記各サブ画素を覆うキャッピング層がさらに形成されてもよく、その上部に無機膜及び有機膜が交互に積層される構造の薄膜封止体がさらに備えられてもよい。このような薄膜トランジスタ及び薄膜封止体の構造は、一般的な公知の構造を選択することができ、その説明は、本明細書では省略する。
【０１１８】
以上、添付の図面を参照して本発明の実施例をさらに詳細に説明したが、本発明は、必ずしもこのような実施例に限定されるものではなく、本発明の技術思想を逸脱しない範囲内で多様に変形して実施可能である。したがって、本発明に開示された様々な実施例は、本発明の技術思想を限定するためのものではなく、説明するためのものであり、このような実施例によって本発明の技術思想の範囲が限定されるものではない。したがって、上述した様々な実施例は、全ての面で例示的なものであり、限定的なものではないと理解しなければならない。本発明の保護範囲は、特許請求の範囲によって解釈されなければならず、それと同等な範囲内にある全ての技術思想は、本発明の権利範囲に含まれるものと解釈されなければならない。
【符号の説明】
【０１１９】
１００    基板
１１０    第１電極
１２０    バンク
１３１    第１共通層
１３０、１３０ａ、１３２、２３２    補助パターン
１３３    第２共通層
１３４    第１補助正孔輸送層
１３５    第２補助正孔輸送層
１４１、１４２、１４３    発光層
１５０    第３共通層
１６０    第２電極
【図１】
2018093196.tif 000007
【図２】
2018093196.tif 000008
【図３】
2018093196.tif 000009
【図４Ａ】
2018093196.tif 000010
【図４Ｂ】
2018093196.tif 000011
【図５】
2018093196.tif 000012
【図６】
2018093196.tif 000013
【図７】
2018093196.tif 000014
【図８】
2018093196.tif 000015
【図９Ａ】
2018093196.tif 000016
【図９Ｂ】
2018093196.tif 000017
【図１０】
2018093196.tif 000018
【図１１】
2018093196.tif 000019
【図１２Ａ】
2018093196.tif 000020
【図１２Ｂ】
2018093196.tif 000021